(57)【要約】【課題】  電池が低下した場合においても、例えば待ち受けなどの基本機能を継続しながら取得したデータが消失しないよう確実に保存する。【解決手段】  携帯端末において取得したデータを保存するためのものであって、電池の残り容量に関する情報を取得し、機器に装着された外部メモリのデータ転送速度に関する情報を取得し、機器に内蔵の内部メモリ及び外部メモリの残り記録容量に関する情報を取得し、この取得した電池の残り容量が所定値以下のとき、外部メモリのデータ転送速度及び残り記録容量に基づき、外部メモリ又は内部メモリのいずれかを選択して取得したデータを加工処理せずに記録する。【選択図】        図３
2005327206.tif 000002
【特許請求の範囲】
【請求項１】
任意のデータを取得するデータ取得手段と、
電池の残り容量に関する情報を取得する電池容量取得手段と、
機器に装着された外部メモリのデータ転送速度に関する情報を取得する転送速度取得手段と、
前記機器に内蔵の内部メモリ及び前記外部メモリの残り記録容量に関する情報を取得する記録容量取得手段と、
前記電池容量取得手段で取得した前記電池の残り容量が所定値以下のとき、前記外部メモリのデータ転送速度及び残り記録容量に基づき、前記外部メモリ又は前記内部メモリのいずれかを選択して前記データ取得手段により取得したデータを加工処理せずに記録する制御手段と
を有することを特徴とする携帯端末。
【請求項２】
前記制御手段は、前記電池容量取得手段で取得した前記電池の残り容量が所定値以下のとき、前記外部メモリのデータ転送速度が高速かつ前記外部メモリの残り記録容量が前記取得したデータ容量より大きい場合は、前記取得したデータを前記外部メモリに転送し記録させる
ことを特徴とする請求項１記載の携帯端末。
【請求項３】
前記制御手段は、前記電池容量取得手段で取得した前記電池の残り容量が所定値以下のとき、前記外部メモリのデータ転送速度が低速、又は前記外部メモリのデータ転送速度が高速であっても前記外部メモリの残り記録容量が前記取得したデータ容量より小さい場合は、前記取得したデータを前記内部メモリに転送し記録させる
ことを特徴とする請求項１記載の携帯端末。
【請求項４】
前記制御手段は、処理負荷が軽い状態のときに、前記外部メモリ又は前記内部メモリに記録されたデータに対し予め設定したファイル形式に沿って所定のデータ加工処理を行う
ことを特徴とする請求項２又は３記載の携帯端末。
【請求項５】
前記制御手段は、前記電池容量取得手段で取得した前記電池の残り容量が所定値以上かつ前記内部メモリの残り記録容量が前記取得したデータ容量より大きいとき、前記取得したデータを予め設定したファイル形式に沿って所定のデータ加工処理を行い内部メモリに記録させる
ことを特徴とする請求項１記載の携帯端末。
【請求項６】
前記外部メモリ又は前記内部メモリに記録されたデータを、それぞれ利用者からの指示に従い前記内部メモリ又は前記外部メモリに記録し直す
ことを特徴とする請求項１記載の携帯端末。
【請求項７】
前記データ取得手段として撮影装置を備え、前記任意のデータは前記撮像装置により撮影された画像データである
ことを特徴とする請求項１記載の携帯端末。
【請求項８】
携帯端末において取得したデータを保存するためのデータ記録方法であって、
電池の残り容量に関する情報を取得し、
機器に装着された外部メモリのデータ転送速度に関する情報を取得し、
前記機器に内蔵の内部メモリ及び前記外部メモリの残り記録容量に関する情報を取得し、
前記取得した電池の残り容量が所定値以下のとき、前記外部メモリのデータ転送速度及び残り記録容量に基づき、前記外部メモリ又は前記内部メモリのいずれかを選択して前記取得したデータを加工処理せずに記録する
ことを特徴とするデータ記録方法。
【請求項９】
前記電池の残り容量が所定値以下のとき、前記外部メモリのデータ転送速度が高速かつ前記外部メモリの残り記録容量が前記取得したデータ容量より大きい場合は、前記取得したデータを前記外部メモリに転送し記録する
ことを特徴とする請求項８記載のデータ記録方法。
【請求項１０】
前記電池の残り容量が所定値以下のとき、前記外部メモリのデータ転送速度が低速、又は前記外部メモリのデータ転送速度が高速であっても前記外部メモリの残り記録容量が前記取得したデータ容量より小さい場合は、前記取得したデータを前記内部メモリに転送し記録する
ことを特徴とする請求項８記載のデータ記録方法。
【請求項１１】
処理負荷が軽い状態のときに、前記外部メモリ又は前記内部メモリに記録されたデータに対し予め設定したファイル形式に沿って所定のデータ加工処理を行う
ことを特徴とする請求項９又は１０記載のデータ記録方法。
【請求項１２】
前記電池の残り容量が所定値以上かつ前記内部メモリの残り記録容量が前記取得したデータ容量より大きいとき、前記取得したデータを予め設定したファイル形式に沿って所定のデータ加工処理を行い内部メモリにする
ことを特徴とする請求項８記載のデータ記録方法。
【請求項１３】
前記外部メモリ又は前記内部メモリに記録されたデータを、利用者からの指示に従いそれぞれ前記内部メモリ又は前記外部メモリに記録し直す
ことを特徴とする請求項８記載のデータ記録方法。
【請求項１４】
前記データは撮像装置により撮影された画像データである
ことを特徴とする請求項８記載のデータ記録方法。
【発明の詳細な説明】
【技術分野】
【０００１】
本発明は、携帯端末及びデータ記録方法に関し、特に、例えばカメラ付き携帯電話端末等の携帯端末において取得したデータを内部メモリ又は外部メモリに保存するものに適用して好適な携帯端末及びデータ記録方法に関する。
【背景技術】
【０００２】
近年、通話機能の他に通信機能を備えインターネット等に接続してメールやＷｅｂ閲覧、画像データのダウンロードを行ったり、さらにカメラ機能を備え画像を撮影して外部メモリや内蔵の内部メモリに保存できる携帯電話端末が市販されている。最近ではカメラ付き携帯電話端末で撮影できる画像は静止画のみならず、動画を撮影して連続記録できるものが増えている。
【０００３】
また携帯電話端末は、その電源として通常電池（二次電池）を利用しているので、携帯性に優れ移動中でも通信を行うことができる。その反面、使用可能時間に限りがあるため、携帯電話端末の使用者に対して電池残量を表示により知らせ、さらに電池残量が低下した場合には電池残量低下アラームにより、通信切断の恐れがあることを報知するようにしている。
【０００４】
しかし、例えばカメラ付き携帯電話端末のカメラで撮影した画像、アドレス帳のデータ、インターネット等からダウンロードして得たデータなど、種々のデータを内部メモリ又は外部メモリに記録するのに、カメラ付き携帯電話端末は、撮影専用のデジタルカメラ等と比較して時間が掛かっていた。携帯電話端末で動画データも扱えるようになったことにより、データの保存により多くの時間が費やされるようになったとともに、消費電力も増えている。
【０００５】
例えば電池残量が低下しているときに、通話やメールの待ち受けをしながら他の処理、例えばデータの保存処理等を行うと、消費ピーク電流が高くなる。通常、携帯電話端末は基本機能である通話やメールの待ち受けを優先するようになっているので、電池の電力消費を抑制するため、他の処理に割り当てる使用時間を制限したりしてデータの保存処理を中断するようにしている。さらに電池残量が規定値以下となった場合には、携帯電話端末の電源がオフとなることもある。
【０００６】
このように、データ保存処理を途中で中断したり、データ保存処理中に携帯電話端末が電源オフになると、データが消失することがある。例えば、保存対象がカメラで撮影した画像データのように、ユーザがその一瞬を記録に残したかったというような場合にはその影響は大きなものとなる。
【０００７】
上述した問題を解決するため、例えば、電池残量が低下した場合において、撮像手段により撮影した画像の画像データ容量を変化させて通信先に送信するようにした携帯電話端末装置が提案されている（例えば、特許文献１参照。）。具体的には、伝送される動画の画素数又はフレーム数を抑えたり、あるいは伝送される静止画の画素数又は伝送間隔を変化させ、送信する画像のデータ容量を抑え、全体として回線伝送情報量を抑えることにより、電池残量が低下した場合であっても、画像伝送を伴った通信の継続を可能とする。
【特許文献１】特開２００３−１８９００７号公報
【発明の開示】
【発明が解決しようとする課題】
【０００８】
しかしながら、特許文献１に記載の携帯電話端末装置は、電池残量が低下した場合においても、携帯電話端末から外部への画像転送を伴った通信の継続を可能とするものであって、取得したデータを確実に保存することを目的としてなされたものではない。
【０００９】
斯かる点に鑑み、本発明は、電池が低下した場合においても、例えば待ち受けなどの基本機能を継続しながら取得したデータが消失しないよう確実に保存することを目的とする。
【課題を解決するための手段】
【００１０】
上記課題を解決し、目的を達成するため、本発明は、携帯端末において取得したデータを保存するためのものであって、電池の残り容量に関する情報を取得し、機器に装着された外部メモリのデータ転送速度に関する情報を取得し、機器に内蔵の内部メモリ及び外部メモリの残り記録容量に関する情報を取得し、電池容量取得手段で取得した電池の残り容量が所定値以下のとき、外部メモリのデータ転送速度及び残り記録容量に基づき、外部メモリ又は内部メモリのいずれかを選択してデータ取得手段により取得したデータを加工処理せずに記録することを特徴とする。
【００１１】
斯かる本発明によれば、電池容量取得手段で取得した電池の残り容量が所定値以下のとき、外部メモリのデータ転送速度及び残り記録容量に基づき、取得したデータを外部メモリ又は内部メモリのいずれかを選択して加工処理せずに記録することにより、消費ピーク電流を抑えつつ取得したデータをいずれかのメモリに記録できる。
【発明の効果】
【００１２】
本発明によれば、消費ピーク電流を抑えつつ取得したデータをいずれかのメモリに記録するので、基本機能を継続しながら取得したデータが消失しないよう確実に保存することができるという効果がある。例えば、電池の残容量が少ないとき、すなわち電池３４の終止電圧に近づいているときは外部メモリのデータ転送速度及び外部メモリのメモリ残容量に基づき、外部メモリ及び内部メモリのいずれかを選択して無加工のままデータを記録するようにしたので、携帯端末の消費ピーク電流が抑えられ、大電流が流れて電池電圧が一時的に終止電圧以下となることが阻止される。したがって、例えばデータ保存中に着信等基本機能の処理が発生しても電源オフとなるのを防止することができる。
【発明を実施するための最良の形態】
【００１３】
以下、図１〜図３を参照して、本発明の一実施の形態の例について説明する。本例は、携帯端末として携帯電話端末に適用した例を示すものである。
【００１４】
図１は本発明の一実施の形態の携帯電話端末の概略外観図である。図１に示す携帯電話端末１は、上側筐体２と下側筐体３が回動可能なヒンジ部１０によって開閉自在に接続された構造のいわゆるクラムシェル型（折り畳み型）携帯電話端末である。上側筐体２は例えばＬＣＤ（Liquid Crystal Display）からなる表示部１１及びスピーカ１４を備えるとともに、下側筐体３は複数のボタンからなる操作ボタン１２及び例えばジョグダイアル等の回転操作部１３、マイクロホン１５を備えている。
【００１５】
また図１に示す携帯電話端末１は、ヒンジ部１０と一体に構成されたカメラ１６を備えており、ユーザは撮影したい対象に応じてカメラ１６の向きを自分撮り用又は相手撮り用の位置に調整することができる。カメラ１６に取り込まれた画像は撮像素子により光情報から電気信号に変換されて、図示しない画像処理用のＤＳＰ（Digital Signal Processor）等により所定のデータ加工処理が行われ、内部メモリ３３又は外部メモリ２０に保存されるとともに、必要により表示部１１に表示される。
【００１６】
また図１において、２０は例えば半導体メモリなどからなる不揮発性のメモリカードであり、携帯電話端末１のスロット部２１に対し着脱可能な外部メモリである。ユーザは必要により任意のデータを外部メモリ２０へ記録したり、また外部メモリ２０に記録されたデータを携帯電話端末１の内部メモリ３３へ記録することができる。本例においては携帯電話端末１に常時外部メモリ２０が装着されているものとする。なお、携帯電話端末１の外観は図１の例に限るものではない。
【００１７】
図２は、図１に示される携帯電話端末１の構成例を示すブロック図である。図２において、４１は制御用の信号を伝送する制御用バスであり、４２は音声データや画像データ等の各種データを伝送するためのデータ伝送用バスである。
【００１８】
制御部３１は携帯電話端末１全体の制御を司り、ＲＡＭ（図示略）をワークエリアとしてＲＯＭ（図示略）や内部メモリ３３に記録されたプログラムに従い、所定の演算及び制御を行うものであり、例えば、操作部１２，１３を介して入力されたユーザからの操作信号に従い制御用バス４１を介し制御信号を出力してカメラ１６や表示部１６等を制御したり、データ伝送用バス４２を介して各種データの伝送を行ったり、外部メモリ２０又は内部メモリ３３とそれぞれデータの読み出し及び書き込みなどを行うことができる。
【００１９】
また通信回路３２は、アンテナ３２ａを経由して基地局（図示略）と接続し、通話相手との音声データ、インターネット等を介した画像データなどの各種データの送受信を行うとともに、送受信するデータの変調及び復調、あるいは圧縮／伸張を行うものである。
【００２０】
また表示部１１は、制御部３１の指令に従って内部メモリ３３又は外部メモリ２０に記録された画像データを画面上に表示する。
【００２１】
また内部メモリ３３は携帯電話端末１内部に格納されたフラッシュメモリ等から構成される不揮発性メモリ又は常時電源が供給される揮発性メモリであり、音声データやカメラ１６で撮影された画像データ、制御部３１により実行されるプログラムなど種々のデータを記録し保存する。
【００２２】
また電池３４は、例えばリチウムイオン電池などの二次電池から構成され、電池３４の出力を安定化する電源部３５を介して、制御部３１を始めとする各部へ分配される。電池３４の端子電圧は充電残量によって変化する。そして、電池３４には終止電圧が設定してあり、携帯電話端末１の電力消費によって電池３４の出力電圧がその終止電圧に至ると、制御部３１から電源オフ指令が出力されて、自動的に電源オフとなるようにプログラムされている。終止電圧となった状態でも、電池３４には所定の充電残量があり、時計機能や一部のメモリバックアップなどが継続して行われる。
【００２３】
例えば、データを圧縮せずに外部メモリに転送すれば、転送データ容量が大きくなり転送に要する時間は長くなる。逆に、転送データ容量を減らすためにデータを高圧縮処理するほどピーク電流消費は大きくなり、電池３４の出力電圧は降下する。そこで本例の制御部３１では、図３に示されるフローチャートに従い、電池３４の終止電圧を考慮しながら取得したデータの保存処理を行うようにしている。
【００２４】
次に、携帯電話端末１のカメラ１６により撮像した画像データを例に、取得したデータを確実に保存するための最適なデータ記録処理を説明する。図３は、本例のデータ記録処理を説明するためのフローチャートである。
【００２５】
まず、ユーザが携帯電話端末１のカメラ１６を用いて所望の被写体や風景などを撮影することで画像データを取得する。取得した画像データは、図３のフローチャートに従い最適なデータ形式で、外部メモリ２０又は内部メモリ３３に記録される。
【００２６】
画像データを取得すると同時に、制御部３１は電源部３５を介して電池３４の残り容量についての情報を取得する。同時に、制御部３１は制御用バス４１を介して外部メモリ２０にアクセスしてデータ転送速度についての情報を取得するとともに、携帯電話端末１に内蔵の内部メモリ３３及びスロット部２１に装着されている外部メモリ２０のそれぞれについてデータ記録可能なメモリ残容量の情報を取得する（ステップＳ１）。制御部３１にて電池３４の残り容量、外部メモリ２０のデータ転送速度及び内部メモリ３３及び外部メモリ２０のメモリ残容量を取得するようにしたが、それぞれの情報を取得する手段を制御部３１とは別に設けるようにしてもよい。
【００２７】
ここで、内部メモリ３３及び外部メモリ２０の残り記録容量に関する情報から、取得した画像データより内部メモリ３３及び外部メモリ２０の残り記録容量がともに小さい場合、制御部３１は撮影された画像データの保存が不可能であると判断し、表示部１１にメモリ容量不足により画像データを保存できない旨のメッセージを表示するようにする。このようにメッセージを表示してユーザに知らせることで、ユーザは、例えば内部メモリ内の無駄なデータを整理したり、外部メモリを取り替えたりするなどの対策をとることができるので、親切である。なお、内部メモリ３３及び外部メモリ２０のいずれか一方が転送データより小さい場合にも、表示部１１にその旨のメッセージを表示するようにしてもよい。
【００２８】
次に、制御部３１は取得した各情報から電池３４の残容量が規定値以上かつ内部メモリ３３の残容量が取得した画像データのデータ容量より大きいかどうかを判断する（ステップＳ２）。
【００２９】
電池３４の残容量の規定値としては、電池３４の終止電圧に、待ち受け等の基本機能の動作と、あるファイル形式の画像データを保存するのに最低限必要とされる動作で加わる値を考慮した電圧値を規定値とするのが好適である。この規定値は予め製造業者が製造時に設定してもよいし、ユーザが後から設定を変更できるようにしてもよい。
【００３０】
電池３４の残容量が規定値以上かつ内部メモリ３３の残容量が取得した画像データのデータ容量より大きい場合、取得した画像データを内部メモリ３３に格納し、ユーザによって任意に設定されたファイル形式に沿ってＤＳＰにより加工処理する（ステップＳ３）。
【００３１】
このように、電池３４の残容量及び内部メモリ３３のメモリ残容量が十分にあるときは、データを内部メモリ３３へ格納することで、外部メモリ２０にデータ転送する場合と比較して電流消費を抑えることができるとともに、データを保存するまでの時間を短縮することができる。
【００３２】
ファイル形式の例としては、例えば取得した画像データが、静止画であればＪＰＥＧ（Joint Photographic Experts Group）、ＰＮＧ（Portable Network Graphics）等が、デジタル動画であればＭＰＥＧ（Motion Picture Experts Group）２、３ＧＰＰ２（3rd Generation Partnership Project 2）などのファイル形式が挙げられるが、この例に限るものではない。また、ファイル形式の設定については、上述のようにユーザが設定メニューを起動させて任意に変更することができるが、製造業者が製造時に予め設定したデフォルト設定をそのまま使用するようにしてもよい。
【００３３】
上述の判断ステップＳ２において、制御部３１は取得した電池３４の残容量が規定値以下であると判断した場合、ステップＳ１の処理にて取得しておいた外部メモリ２０のデータ転送速度に関する情報から、外部メモリ２０が高速なデータ転送が可能かどうかを判断する（ステップＳ４）。そして外部メモリ２０はデータの高速転送が可能であると判断した場合、続いてステップＳ１の処理にて取得しておいた外部メモリ２０のメモリ残容量の情報から、外部メモリ２０のメモリ残容量がカメラ１６で撮像した画像データのデータ容量より大きいかどうかを判断する（ステップＳ５）。
【００３４】
制御部３１は、判断ステップＳ５において外部メモリ２０のメモリ残容量がカメラ１６で撮像した画像データ、すなわち被転送データのデータ容量より大きいと判断した場合、無加工の画像データを外部メモリ２０へ転送して記録し、一旦保存しておく。そして、外部メモリ２０に保存しておいた画像データを、制御部３１の処理負荷が軽い状態のときに上述ステップＳ３の処理にて説明した所定のファイル形式に加工処理する（ステップＳ６）。無加工のデータとは、無圧縮のデータのことであり、例えば表示部１１上でプレビューはできないがデータとして一時的に作成されるテンポラリーファイルのような中間ファイルも含む。
【００３５】
このように、外部メモリ２０のデータ転送速度が高速かつメモリ残容量が十分ある場合には、画像データ等の大容量のデータであっても高圧縮をかけずに記録したとしても、データの高速伝送が維持されるとともに消費ピーク電流を抑えることができる。
【００３６】
そして外部メモリ２０上で所定形式ファイルへの変換処理が継続中かどうか判断し（ステップＳ７）、処理中であればステップＳ６に戻り所定形式ファイルへの加工処理を継続する。なお、ここでの所定のファイル形式は、ステップＳ３にて内部メモリ３３上で加工処理されたファイル形式と同じでもよいし、内部メモリ３３と外部メモリ２０で記録するファイルの形式を区別して設定してもよい。
【００３７】
一方、制御部３１が判断ステップＳ４において外部メモリ２０はデータの高速転送が不可能であると判断した場合、又は判断ステップＳ４において外部メモリ２０はデータの高速転送が可能であると判断したものの、続くステップＳ５において外部メモリ２０のメモリ残容量が被非転送データのデータ容量より小さいと判断した場合、制御部３１は無加工データを内部メモリ３３へ転送して記録し、一旦保存しておく。そして、内部メモリ３３に保存しておいた画像データを、制御部３１の処理負荷が軽い状態のときに上述ステップＳ３の処理にて説明した所定のファイル形式に加工処理する（ステップＳ８）。
【００３８】
このように、外部メモリ２０のデータ転送速度及びメモリ残容量を検知して圧縮をかけずに記録することで、携帯電話端末１の消費ピーク電流を抑えることができる。
【００３９】
そして内部メモリ３３上で所定形式ファイルへの変換処理が継続中かどうか判断し（ステップＳ９）、処理中であればステップＳ８に戻り所定形式ファイルへの加工処理を継続する。
【００４０】
上述のステップＳ３、ステップＳ７及びステップＳ８の処理における所定形式ファイルへの加工処理が終了したら、内部メモリ３３又は外部メモリ２０に一時保存された処理済ファイルを、最終的に内部メモリ２０又は外部メモリ３３のいずれに記録するかをユーザに選択させるための選択画面を表示部１１に表示する（ステップＳ１０）。
【００４１】
すなわち、上述のステップＳ１〜ステップＳ９までの処理において、取得したデータを確実に保存するために、電池３４の残容量、外部メモリ２０のデータ転送速度及び内部メモリと外部メモリのメモリ残容量の情報に基づき、消費ピーク電流が上昇しないよう無加工のままのデータを、ユーザの意思に関係なく内部メモリ３３又は外部メモリ２０のいずれかを選択してデータを一時的に記録したが、ステップＳ１０の処理では最終的にユーザが希望する保存先にデータを移動させるための処理を行うようにするものである。
【００４２】
制御部３１は、ユーザが選択した保存先が一時的にデータを記録した保存先と異なる場合、例えば内部メモリ３３に保存されたデータであれば外部メモリ２０へ、外部メモリ２０に保存されたデータであれば内部メモリ２０へ再記録し、データの保存先を移動して処理を終了する。
【００４３】
以上述べたような構成によれば、電池３４の残容量を考慮し、電池３４の残容量が多いときは通常処理を行い取得したデータを所定形式のファイルで内部メモリ３３に記録する。また、電池３４の残容量が少ないとき、すなわち電池３４の終止電圧に近づいているときは外部メモリ２０のデータ転送速度及び外部メモリ２０のメモリ残容量に基づき、外部メモリ２０及び内部メモリ３３のいずれかを選択して無加工のままデータを記録するようにしたので、携帯電話端末１の消費ピーク電流が抑えられ、大電流が流れて電池電圧が一時的に終止電圧以下となることが阻止される。したがって、例えばデータ保存中に着信が発生しても電源オフとなるのを防止することができる。
【００４４】
また取得データの保存時に電流消費を抑える処理を実行することで、消費ピーク電流を低下させ、電池３４の実質使用可能時間を伸ばすことができる。
【００４５】
したがって、例えばリアルタイム動画処理を行いながら、通話やメール等の電話端末本来の通信機能を利用しながら、ビデオ録画など処理負荷の重い作業を制御部３１で行うとき、一例を挙げるとテレビジョン電話機能を利用して受信した画像を録画しながら通話をする場合など、電池３４の残容量、外部メモリ２０のデータ転送速度及び内部メモリ３３と外部メモリ２０のメモリ残容量に応じて、データの最適な一時保存先を決定するともに、一時保存先で最適なデータ加工処理を実行することにより、電流消費を抑えることができ、ユーザが所望の機能を使用中に携帯電話端末が突然動作停止となることを防止できる。
【００４６】
なお、上述した実施の形態においては、カメラ１６により撮影した画像データを例に説明したが、これに限らず例えば、通信回路３２により基地局を経由して取得した画像データ、テレビジョン放送受信機能付きの携帯電話端末にて取得したテレビジョン放送の画像データ、ＩｒＤＡ（InfraRed Data Association）規格に準拠したデータ通信により取得したデータなど、種々の方法により取得したデータが適用できる。
【００４７】
また上述のカメラ付きの携帯電話端末の例に限らず、本発明の携帯端末は、ＰＤＡ（Personal Digital Assistance）、デジタルカメラやデジタルビデオなど、内部メモリと外部メモリを備え画像データ等取得したデータをいずれかのメモリを用いて確実に保存したい場合に有用である。
【００４８】
また、本発明は上述した実施の形態の例に限られるものではなく、本発明の要旨を逸脱することなくその他種々の構成を取り得ることは勿論である。
【図面の簡単な説明】
【００４９】
【図１】本発明の一実施の形態の携帯電話端末の概略外観図である。
【図２】本発明の一実施の形態の携帯電話端末の構成例を示すブッロク図である。
【図３】本発明の説明に供するフローチャートである。
【符号の説明】
【００５０】
１…携帯電話端末、２…上側筐体、３…下側筐体、１０…ヒンジ部、１１…表示部、１２…操作部、１３…回転操作部、１４…マイクロホン、１５…スピーカ、１６…カメラ、２０…外部メモリ、２１…スロット部、３１…制御部、３３…内部メモリ、３４…電池、３５…電源部
【図１】
2005327206.tif 000003
【図２】
2005327206.tif 000004
【図３】
2005327206.tif 000005